(57)【要約】      （修正有）【課題】水素水モジュールを伴う一体型水素ガス発生器の提供。【解決手段】水タンク、電気分解モジュール、一体型フローチャネルデバイス、加湿モジュール、及び水素水モジュールを備える。電気分解モジュールは、水タンク内の水を電気分解して水素含有ガスを発生させるよう構成される。水タンク、加湿モジュール、及び水素水モジュールは、一体型通路モジュールにそれぞれ連結され、それによって水及び水素含有ガスは、それらの間で特有のシーケンスで流れる。加湿モジュールは、水素含有ガスを加湿するよう構成される。水素水モジュールは、液体を収容するよう、及び水素含有ガスを液体の中に受け入れて、水素含有液体を形成するよう、構成される。従来のパイプラインの構成は、本発明の一体型水素ガス発生器における一体型通路モジュールに取って代えることができる。【選択図】なし【特許請求の範囲】
【請求項１】
一体型水素ガス発生器であって、
電気分解される水を収容するよう構成された、水タンクと、
水を電気分解して水素含有ガスを発生させるよう構成された、電気分解モジュールと、
前記水タンクの上に配設された、一体型通路モジュールと、
前記一体型通路モジュールと連結されて前記水素含有ガス内の不純物を凝縮する、凝縮器と、
前記一体型通路モジュールに連結され、前記水素含有ガスを加湿するよう構成された、加湿モジュールと、
前記一体型通路モジュールに連結され、霧状ガスを発生させて前記水素含有ガスと混合されるよう構成された、噴霧器と
を備え、
前記水素含有ガスは、前記一体型通路モジュールを介して、前記凝縮器、前記加湿モジュール、及び前記噴霧器の中に移される、一体型水素ガス発生器。
【請求項２】
前記一体型通路モジュールは、互いに組み合わせた上部カバー及び下部カバーを備え、凝縮通路入口及び凝縮通路出口を備えた凝縮通路と、加湿通路入口及び加湿通路出口を備えた加湿通路と、アウトプット通路入口及びアウトプット通路出口を備えたアウトプット通路とを形成し、前記凝縮通路入口は前記水素含有ガスを受け入れるよう構成される、請求項１に記載の一体型水素ガス発生器。
【請求項３】
前記加湿モジュールは、前記凝縮通路出口及び前記加湿通路入口に連結され、前記加湿モジュールは前記一体型通路モジュールと前記水タンクとの間に配設され、前記加湿モジュールは、前記一体型通路モジュールの前記加湿通路入口及び前記水タンクに連結された、連通チャンバをさらに有し、前記電気分解モジュールは、前記水タンク内に収容されて前記水素含有ガスを前記水タンクの中にアウトプットし、前記水素含有ガスは、前記連通チャンバを介して前記一体型通路モジュールに流れ、前記連通チャンバは前記加湿チャンバから分離される、請求項２に記載の一体型水素ガス発生器。
【請求項４】
前記連通チャンバに配設されたガスバッフル板アセンブリをさらに備え、前記ガスバッフル板アセンブリは、水蒸気及び前記水素含有ガスの電解液が、前記一体型通路モジュールの前記凝縮通路の中に流入するのを軽減させるか、または防止するよう構成される、請求項２に記載の一体型水素ガス発生器。
【請求項５】
前記上部カバーは、前記加湿通路出口の上で、前記加湿通路出口に対応する前記上部カバーの位置に固定された、第１のキャップをさらに有し、前記第１のキャップは、前記加湿通路出口を可動で覆って、前記水素含有ガスが前記加湿通路出口を流出するか、または水及び水蒸気が前記加湿通路出口から流出するのを遮断するか、を選択的に可能にする、請求項２に記載の一体型水素ガス発生器。
【請求項６】
前記一体型通路モジュールに連結され、前記水素含有ガスを濾過するよう構成された濾過器をさらに備え、前記水素含有ガスは、前記一体型通路モジュールを介して、前記凝縮器、前記加湿モジュール、前記濾過器、及び前記噴霧器の中に移され、前記下部カバーは一体で形成された構造であり、前記凝縮器、前記加湿モジュール、前記濾過器、及び前記噴霧器は、前記下部カバーに直接連結される、請求項２に記載の一体型水素ガス発生器。
【請求項７】
前記下部カバーは、前記濾過器に連結された濾過入口及び濾過出口をさらに備え、前記アウトプット通路は、第１の通路セクション及び第２の通路セクションに分割され、前記第１の通路セクションは、前記アウトプット通路入口及び前記濾過入口に連結されて、前記濾過器に前記水素含有ガスをインプットし、前記第２の通路セクションは、前記濾過出口及び前記アウトプット通路出口に連結されて、前記濾過器から濾過されたガスをアウトプットし、前記一体型通路モジュールは、前記下部カバーと組み合わせた上部カバーを備えて、凝縮通路と、加湿通路と、アウトプット通路とを形成し、前記上部カバーは、前記濾過入口の上で、前記濾過入口の位置に対応する位置の前記上部カバーの位置に固定された、第２のキャップをさらに備え、前記第２のキャップは、前記水素含有ガスが前記濾過入口の中に流入するか、または水及び水蒸気が前記濾過入口の中に流入するのを遮断するか、を選択的に可能にするよう、前記濾過入口を可動で覆う、請求項６に記載の一体型水素ガス発生器。
【請求項８】
前記一体型通路モジュールに連結された水素水モジュールをさらに備え、前記水素水モジュールは、前記水素含有ガスを、前記水素水モジュールに収容された液体と共に受け入れて混合し、水素液を発生させるよう構成され、前記水素含有ガスは、前記一体型通路モジュールを介して、前記凝縮器、前記加湿モジュール、前記濾過器、前記水素水モジュール、及び前記噴霧器の中に移される、請求項６に記載の一体型水素ガス発生器。
【請求項９】
前記水素水モジュールは、前記下部カバー及び前記加湿通路出口に連結されたインプット構造をさらに備え、前記水素含有ガスを液体の中にインプットして前記水素液を発生させ、前記水素水モジュールは、前記アウトプット通路入口に連結され、前記水素含有ガスをアウトプットするアウトプット構造をさらに備え、前記水素水モジュールは、
水が前記水素水モジュールにインプットされるか、または前記水素液がアウトプットされるかを可能にするよう、水インプット／アウトプットチャネルを選択的に提供するために構成された、水インプット／アウトプット構造と、
前記加湿モジュールから離された、前記水素水モジュールの一方の側に配設され、連動ボタンがその上に配設された、把持部と、
前記連動ボタンによって駆動され、前記水素水モジュールを前記加湿通路に選択的に連結するよう構成された、伸縮バックルと
をさらに備える、請求項８に記載の一体型水素ガス発生器。
【請求項１０】
前記加湿通路と前記アウトプット通路との間に配設された、切替弁をさらに備え、前記連動ボタンが前記伸縮バックルを駆動するとき、前記水素水モジュールは、前記加湿通路及び前記アウトプット通路から分離され、前記加湿通路及び前記アウトプット通路は、前記切替弁を介して互いに連結される、請求項９に記載の一体型水素ガス発生器。
【請求項１１】
前記噴霧器は、噴霧器入口及び噴霧器出口を有し、前記噴霧器入口は前記アウトプット通路と連結されて水路含有ガスを受け入れ、前記噴霧器出口は外部環境と連結され、前記噴霧器は、前記霧状ガスをさらに発生させて前記水素含有ガスと混合してヘルスケアガスを形成し、前記ヘルスケアガスは、前記噴霧器出口を介して外部環境にアウトプットされる、請求項２に記載の一体型水素ガス発生器。
【請求項１２】
前記加湿モジュールの表面は内側に凹み、噴霧器収容チャンバを形成して前記噴霧器を収容する、請求項１１に記載の一体型水素ガス発生器。
【請求項１３】
前記加湿モジュールは、前記一体型通路モジュールと前記濾過器との間に配設され、前記加湿モジュールはインプット柱及びアウトプット柱を有し、前記インプット柱は、前記下部カバーの前記濾過入口及び前記濾過器に連結され、前記アウトプット柱は、前記下部カバーの前記濾過出口及び前記濾過器に連結され、前記インプット柱及び前記アウトプット柱は、前記加湿チャンバから分離され、前記一体型水素ガス発生器は、前記加湿モジュールの前記加湿チャンバに配設されたバブルスティックをさらに備え、前記バブルスティックは、前記加湿チャンバ及び前記凝縮通路に連結されて、前記凝縮通路からの前記水素含有ガスを純化し、それによって前記水素含有ガスを、前記加湿チャンバ内に均等に分配する、請求項７に記載の一体型水素ガス発生器。
【請求項１４】
一体型水素ガス発生器であって、
電気分解される水を収容するよう構成された、水タンクと、
前記水タンク内に配設され、水を電気分解して水素含有ガスを前記水タンクの中に発生させるよう構成された、電気分解モジュールと、
前記水タンクの上に配設され、一体で形成された構造である下部カバーを備えた、一体型通路モジュールと、
前記水タンクの上に配設され、前記一体型通路モジュールに連結されて、前記水素含有ガスを加湿するよう構成された、加湿モジュールと、
前記一体型通路モジュールに連結され、前記水素含有ガスを濾過するよう構成された、濾過器と
を備え、
前記水素含有ガスは、前記一体型通路モジュールを介して、前記加湿モジュール及び前記濾過器の中に移される、一体型水素ガス発生器。
【請求項１５】
前記一体型通路モジュールに連結され、前記水素含有ガスを受け入れる噴霧器をさらに備え、前記噴霧器は、霧状ガスをさらに発生させ、前記水素含有ガスと混合してヘルスケアガスを形成し、前記水素含有ガスは、前記一体型通路モジュールを介して、前記加湿モジュールと、前記濾過器と、前記噴霧器との中に移される、請求項１４に記載の一体型水素ガス発生器。
【請求項１６】
前記加湿モジュール、前記濾過器、及び前記噴霧器は、前記一体型通路モジュールの前記下部カバーに直接連結される、請求項１５に記載の一体型水素ガス発生器。
【請求項１７】
前記一体型通路モジュールは、上部カバー及び凝縮空間をさらに備え、前記凝縮空間、前記加湿通路、及び前記アウトプット通路は、前記上部カバーと前記下部カバーとの間に配設され、前記下部カバーは、前記凝縮空間によって連結された、凝縮通路入口及び凝縮通路出口と、前記加湿通路によって連結された、加湿通路入口及び加湿通路出口と、前記アウトプット通路によって連結された、アウトプット通路入口及びアウトプット通路出口とを有し、前記凝縮通路入口は、前記水タンクに連結されて前記水素含有ガスを受け入れ、前記加湿モジュールは、前記凝縮通路出口及び前記加湿通路入口それぞれに連結され、前記水素含有ガスを加湿して、次にそれを前記加湿通路に送る、請求項１４に記載の一体型水素ガス発生器。
【請求項１８】
前記上部カバーに連結され、前記凝縮空間に収容された凝縮本体をさらに備え、前記凝縮本体は、上部カバーと組み合わされて凝縮器を形成し、前記凝縮器は凝縮通路を備え、前記凝縮通路は前記凝縮通路入口及び前記凝縮通路出口に連結されて、前記凝縮通路内の前記水素含有ガスを凝縮する、請求項１７に記載の一体型水素ガス発生器。
【請求項１９】
前記一体型通路モジュールに連結された、水素水モジュールをさらに備え、前記水素水モジュールは、インプット構造を備えて、前記水素含有ガスを前記水素水モジュールによって収容された液体にインプットし、前記水素水モジュールは、アウトプット構造も備えて前記水素含有ガスをアウトプットし、前記水素含有ガスは、前記一体型通路モジュールを介して、前記加湿モジュール、前記水素水モジュール、及び濾過器の中に移される、請求項１４に記載の一体型水素ガス発生器。
【請求項２０】
前記加湿モジュール、前記水素水モジュール、及び前記濾過器は、前記一体型通路モジュールの前記下部カバーに直接連結される、請求項１９に記載の一体型水素ガス発生器。
【発明の詳細な説明】
【技術分野】
【０００１】
本発明は、水素含有ガス及び水素液を発生させるための発生器に関し、より詳細には、水素水モジュール、及びユニットの接続を一体化するための一体型通路モジュールを有する、一体型水素ガス発生器に関する。
【背景技術】
【０００２】
現在まで、人は寿命を延ばすための多くの研究に専念し、医療技術における多くの健康改善は、病気に対処することを目標にしてきた。現在、医療技術の発展は、病気が発症したときに受動的に病気の治療をするのではなく、予防医学に焦点を当てている。予防医学は、健康食品の研究、遺伝病の検診、及び危険要因を回避するための予防治療を含み得る。人の寿命を延ばす他に、スキンケア剤の塗布、ならびに抗酸化食品及び抗酸化薬剤を含む、様々な老化防止及び抗酸化技術が徐々に開発されており、広く適用されている。
【０００３】
研究調査により、病気、飲食物、環境、またはライフスタイルなどの様々な理由のため、人体は、フリーラジカル（有害フリーラジカル）としても知られている不安定酸素（Ｏ＋）を生成することが判っている。フリーラジカルは、不対価電子を有する単一の原子、分子、またはイオンである。フリーラジカルは、人の細胞膜、細胞、及び組織を攻撃し、他の原子から電子を獲得して、生体内で過酸化連鎖反応を生じさせる。過酸化反応は、血管の脆弱化、脳細胞の老化、免疫システムの退化、白内障、変形性関節炎、皮膚委縮、一般的な老化など、人体に退化症候群を発生させる。多くの研究は、リッチ水素水の小さい分子が、容易に細胞に入って吸収され、人の代謝に関与して細胞の解毒作用を加速させることを提示している。リッチ水素水を飲むことで、人体のフリーラジカル量を減少させることができ、人の酸性体質をアルカリ性体質に変え、慢性疾病の排除及び美容健康も実現することができる。
【０００４】
最近の技術では、水素含有ガス及び水素液は、それぞれ水素ガス発生器及び水素液発生器によって発生され、使用者は、水素含有ガス及び水素液を得るためには、少なくとも２種類のデバイスを購入する必要がある。さらに、現存の水素液発生器は、水素含有の他の種類の液体ではなく、水素含有水しか生成できない。現存の水素液発生器は、電解水を電気分解して水素イオンを発生させ、水素イオンを集積して水素ガスを形成し、水素ガスを電解水の中にインプットして、上記の水素含有水を発生させる。これは、水素含有水を連続的に飲みたくない使用者には面倒となり、使用する気さえ喪失させることになる。
【０００５】
加えて、最近の技術では、発生器の各ユニットをパイプラインで接続する必要があり、それは、発生器の面倒な組立プロセス、複雑な配線、発生器のかさばる体積、ならびにパイプラインの落下、ガス漏れ、及び漏水の問題を生じさせる。
【発明の概要】
【発明が解決しようとする課題】
【０００６】
この観点において、本発明は、従来技術の課題を解決するために、水素水モジュールを伴う一体型水素ガス発生器を提供する。本発明の実施形態によると、本発明の水素水モジュールを伴う一体型水素ガス発生器は、水タンク、電気分解モジュール、一体型通路モジュール、加湿モジュール、及び水素水モジュールを備える。水タンクは、電解水を収容するよう構成される。電気分解モジュールは、水を電気分解して水素含有ガスを発生させるよう構成される。一体型通路デバイスは、上部カバー及び下部カバーを含む。上部カバー及び下部カバーは組み合わされて、凝縮通路、加湿通路、及びアウトプット通路をそれぞれ形成する。下部カバーは一体構造で、凝縮通路によって互いに連結された、凝縮通路入口及び出口と、加湿通路によって互いに連結された、加湿通路入口及び加湿通路出口と、アウトプット通路によって互いに連結された、アウトプット通路入口及びアウトプット通路出口と、を有する。アウトプット通路出口は外部環境に連結され、凝縮通路入口は水タンクに連結されて水素含有ガスを受け入れる。加湿モジュールは、凝縮通路出口及び凝縮通路入口にそれぞれ連結された下部カバーに、連結される。加湿モジュールは、水素含有ガスを加湿してそれを加湿通路に移すよう構成された、加湿チャンバを有する。水素水モジュールは、液体を収容するよう構成される。水素水モジュールは、水素含有ガスを、水素液を発生させるよう構成された液体に移すために、下部カバー及び加湿通路出口と連結されたインプット構造を有する。水素水モジュールは、水素含有ガスをアウトプットするよう構成されたアウトプット通路入口に連結された、アウトプット構造をさらに備える。
【課題を解決するための手段】
【０００７】
加湿モジュールは、一体型通路デバイス及び水タンクに配設される。加湿モジュールは、一体型通路デバイスの凝縮通路入口及び冷却装置を連結する、連通チャンバをさらに有する。電気分解モジュールは、水タンク内に収容され、電気分解されることになる水を電気分解し、水素含有ガスを水タンクの中に生成する。水素含有ガスは、連通チャンバを介して一体型通路デバイスに流れる。連通チャンバは、加湿チャンバとは連通しない。
【０００８】
水素水モジュールの一体型水素ガス発生器は、連通チャンバに、ガスバッフル板アセンブリをさらに備える。ガスバッフル板アセンブリは、凝縮通路から入りガスバッフル板アセンブリに流れる、水素含有ガス中の水または電解液を、減少または避けることができる。
【０００９】
上部カバーは、加湿通路出口の位置の上で、加湿通路出口の位置に対応する上部カバーの位置に固定された、第１のキャップをさらに有する。第１のキャップは、加湿通路出口を可動で覆う。上部カバーは、水素含有ガスが加湿通路出口から流出するか、または水及び水蒸気が加湿通路出口から流出するのを遮断するか、を選択的に可能にする。
【００１０】
水素水モジュールの一体型水素ガス発生器は、下部カバーに連結された濾過器をさらに備える。濾過器を使用して、水素含有ガスから不純物を濾過することができる。下部カバーは、濾過器に連結された濾過入口及び濾過出口も有する。アウトプット通路は、第１の通路セクション及び第２の通路セクションに分割される。第１の通路セクションは、アウトプット通路入口及び濾過入口に連結され、水素含有ガスを濾過器の中にインプットする。第２の通路セクションは、濾過出口及びアウトプット通路出口に連結され、濾過された水素含有ガスを濾過器からアウトプットする。
【００１１】
上部カバーは、濾過入口の位置の上で、濾過入口の位置に対応する上部カバーの位置に固定された、第２のキャップをさらに有する。第２のキャップは、濾過入口を可動で覆い、水素含有ガスが濾過入口の中に流入するか、または水及び水蒸気が濾過入口に流入するのを遮断するか、を選択的に可能にする。
【００１２】
加湿モジュールは、一体型通路と濾過器との間に配設される。加湿モジュールは、インプット柱及びアウトプット柱を有する。インプット柱は、一体型通路モジュールの下部カバーの濾過入口及び濾過器に連結させることができる。アウトプット柱は、一体型通路モジュールの下部カバーの濾過出口及びフルタに連結させることができる。インプット柱及びアウトプット柱は、加湿チャンバとは連通しない。
【００１３】
水素水モジュールの一体型水素ガス発生器は、下部カバーに連結された噴霧器をさらに備える。噴霧器は、噴霧入口及び噴霧出口を有し、噴霧入口はアウトプット通路と連結されて水素含有ガスを受け入れ、噴霧出口は外部環境と連結される。噴霧器は、霧状ガスも発生させて水素含有ガスと混合させ、ヘルシーガスを発生させることもでき、次にこのヘルシーガスを、噴霧出口によって外部環境にアウトプットする。
【００１４】
加湿モジュールの表面は内側に凹み、噴霧器収容チャンバを形成して噴霧器を収容する。
【００１５】
水素水モジュールは、水インプット／アウトプット構造、把持部、及び伸縮バックルをさらに備える。水インプット／アウトプット構造は、水が水素水モジュールにインプットされるか、または水素液がアウトプットされるかを可能にする水インプットチャネルと、水素水モジュール内の水を注入するか、または水素液をアウトプットするよう構成されたアウトプット通路と、を選択的に提供できる。把持部は、加湿モジュールから離された、水素水モジュールの一方の側に配設され得る。把持部は連動ボタンを備える。伸縮バックルは、連動ボタンと連結され、水素水モジュール及び加湿通路を選択的に連結するよう構成される。
【００１６】
水素水モジュールの一体型水素ガス発生器は、加湿通路とアウトプット通路との間に配設された、切換弁をさらに備える。連動ボタンが伸縮バックルを駆動するとき、水素水モジュールは加湿通路及びアウトプット通路から分離され、加湿通路及びアウトプット通路は、切替弁を介して互いに連結される。
【００１７】
一体型水素ガス発生器は、加湿チャンバの加湿モジュールに配設された、バブルスティックをさらに備える。バブルスティックは、加湿チャンバ及び凝縮通路に連結させることができ、凝縮通路からの水素含有ガスを純化して、水素含有ガスを加湿チャンバ内に均等に分配する。
【００１８】
別の実施形態によると、本発明の水素水モジュールを伴う一体型水素ガス発生器は、水タンク、電気分解モジュール、一体型通路モジュール、凝縮本体、加湿モジュール、及び水素水モジュールを備える。水タンクは、電解水を収容するよう構成される。電気分解モジュールは、電解水を電気分解して水素含有ガスを発生させるよう構成される。一体型通路デバイスは、上部カバー及び下部カバーを含む。上部カバー及び下部カバーは、互いに組み合わされて、凝縮空間、加湿通路、及びアウトプット通路を形成する。下部カバーは一体化構造である。下部カバーは、凝縮空間に連結された、凝縮通路入口及び凝縮通路出口と、加湿通路に連結された、加湿入口及び加湿出口と、アウトプット通路に連結された、アウトプット通路入口及びアウトプット通路出口と、を有する。アウトプット通路出口は、外部環境に連結され、凝縮通路入口は水タンクに連結されて水素含有ガスを受け入れる。凝縮本体は、上部カバーに連結され、凝縮空間に収容される。凝縮本体及び上部カバーは、互いに組み合わされて、凝縮空間を伴う凝縮器を形成し、凝縮通路入口は、凝縮通路内の水素含有ガスを凝縮するよう構成された、凝縮通路出口に連結される。加湿モジュールは、下部カバーに連結され、凝縮通路出口及び加湿通路入口のそれぞれと連結されて、水素含有ガスを加湿し、加湿された水素含有ガスを加湿通路に移す。水素水モジュールは、液体を収容するよう構成することができる。水素水モジュールは、下部カバー及び加湿通路出口と連結されたインプット構造を備え、水素含有ガスを液体の中にインプットして、水素含有液体を発生させる。水素水モジュールは、アウトプット通路出口に連結されたアウトプット構造をさらに備え、水素含有ガスをアウトプットする。
【発明の効果】
【００１９】
従来技術と比較すると、本発明の水素水モジュールを伴う一体型水素ガス発生器は、以下の利点を有する：
１．本発明の水素水モジュールを伴う一体型水素ガス発生機器は、凝縮デバイス、加湿デバイス、及び電気分解デバイスが互いに垂直に積み重ねられ、これらデバイスの各々を一体型通路モジュールによって接続し、一体型水素ガス発生器は、これらデバイスの各々への追加の配管なしで動作する。したがって、発生器の面倒な組立プロセス、複雑な配線、発生器のかさばる体積の問題、ならびにパイプラインの落下、ガス漏洩、及び漏水の問題を、回避できる。
２．水を電気分解する機能に加えて、本発明の水素水モジュールを伴う一体型水素ガス発生器は、水素液を生成するための液体を含む水素水モジュールをさらに備え、１つの機械で２つの機能を実現する。
３．電気分解モジュールによって電気分解された水は、水素水モジュール内の液体ではないため、かつ水素水モジュール内の水素液は、水素水モジュールの中に水素含有ガスをインプットすることによって形成されるため、水素水モジュールに含まれる液体は、使用者が水素液を飲む動機を促進するような任意の液体とすることができる。
【００２０】
実施形態のうちのいくつかが、図面を参照して詳細に説明される。同様の表示は同様の部材を示す。
【図面の簡単な説明】
【００２１】
【図１】本発明の１つの実施形態による、水素水モジュールを伴う一体型ガス発生器を示す、機能ブロック図である。
【図２】図１の別の機能ブロック図である。
【図３ａ】本発明の１つの実施形態による、水素水モジュールを伴う一体型水素ガス発生器を示す、構造図である。
【図３ｂ】図３ａの分解組立図である。
【図３ｃ】図３ａにおける水素水モジュールを伴う一体型水素ガス発生器を示す、分解組立図である。
【図３ｄ】図３ｃにおける板に固定された電気分解モジュールを示す、底面図である。
【図４】本発明の１つの実施形態による、水素水モジュールを伴う一体型水素ガス発生器の一体型通路デバイスを示す、分解組立図である。
【図５】本発明の別の実施形態による、水素水モジュールを伴う一体型水素ガス発生器の一体型通路デバイスを示す、分解組立図である。
【図６】本発明の別の実施形態による、水素水モジュールを伴う一体型水素ガス発生器を示す、機能ブロック図である。
【図７】図３の加湿モジュールを示す構造図である。
【図８】図３の加湿モジュールの内部構成を示す構成図である。
【図９】本発明の１つの実施形態による、水素水モジュールを伴う一体型水素ガス発生器の一体型通路デバイスを示す、上面図である。
【図１０】図９に示すＡ−Ａ’断面ラインに沿った部分の動作の断面図である。
【図１１】本発明の１つの実施形態による、水素水モジュールを伴う一体型水素ガス発生器の水経路を示す、機能ブロック図である。
【図１２】本発明の１つの実施形態による、水素水モジュールを伴う一体型水素ガス発生器のガス経路を示す、機能ブロック図である。
【図１３】本発明の１つの実施形態による、水素水モジュールを伴う一体型ガス発生器の、水タンク、第１の上部カバー、下部カバー、噴霧器、水素水モジュールを示す、上面図である。
【図１４】図１３のＢ−Ｂ’断面ラインに沿った、一体型水素ガス発生器を示す断面図である。
【図１５】図１３のＣ−Ｃ’断面ラインに沿った、一体型水素ガス発生器を示す断面図である。
【図１６】本発明の１つの実施形態による、水素水モジュールを伴う一体型水素ガス発生器の、バブルスティックの断面図である。
【図１７】本発明の１つの実施形態による、一体型水素ガス発生器の水素水モジュールを示す斜視図である。
【図１８】図１７の水素水モジュールを示す断面図である。
【図１９】本発明の別の実施形態による、水素水モジュールを伴う一体型水素ガス発生器を示す、機能ブロック図である。
【発明を実施するための形態】
【００２２】
本発明の利点、趣旨、及び特徴をより容易にするために、実施形態を伴う添付の図を参照にして、詳細に説明かつ検討する。これらの実施形態のみが、本発明に取って代わるのではない。しかし多くの異なる形態で実施することができ、本明細書で説明する実施形態に限定するものではない。反対に、これらの実施形態は、本発明の公開内容を、より完全かつ包括的にするために提供される。
【００２３】
本発明の説明に使用される用語は、特定の実施形態を説明することのみを目的としており、本発明の公開実施形態を限定するものではない。したがって、明確に示さない限り、単数形は複数形も含む。別途定義しない限り、本明細書で使用される全ての用語（技術用語及び科学用語を含む）は、当業者が理解できる各公開実施形態と、同じ意味を有する。上記の用語は、同じ技術分野の用語と同一の意味として説明するが、それは、理想的な意味または公的な意味として説明されず、さらに上記の用語は、本公開発明の各実施形態に明確に限定される。
【００２４】
本明細書の説明において、用語「１つの実施形態において」、「別の実施形態において」は、本実施形態の特定の特徴、構造、材料、または特性が、本発明の少なくとも１つの実施形態に含まれることを意味する。本明細書の説明において、記述した用語の概要の表現は、必ずしも同じ実施形態を指さない。さらに、説明した特定の特徴、構造、材料、または特性は、適切な方法で任意の１つまたは複数の実施形態に含まれる場合がある。
【００２５】
本発明の説明において、別途明記または限定しない限り、用語「当初の接続」、「接続」、及び「設定」は、広義の意味で解釈されたい。機械的接続または電気的接続とすることができるように、２つの要素の内部接続とすることもでき、直接的な接続とすることができ、中間媒体を介した間接的な接続とすることもできる。当業者は、上記の用語の特定の意味は、特定の状況に従って理解することができる。
【００２６】
図１〜図４を参照されたい。図１は、本発明の実施形態による水素水モジュールを伴う一体型水素ガス発生器Ｅを示す、機能ブロック図である。図２は、図１の別の機能ブロック図である。図３ａは、本発明の実施形態による水素水モジュールを伴う一体型水素ガス発生器Ｅを示す、構造図である。図３ｂは図３ａの分解組立図である。図４は、本発明の実施形態による水素水モジュールを伴う一体型水素ガス発生器Ｅの、一体型通路デバイス３を示す分解組立図である。図１、図３、及び図４に示されるように、本発明は、水タンク１、電気分解モジュール２、一体型通路デバイス３、加湿モジュール４、及び水素水モジュール５を備えた、水素水モジュールを伴う一体型水素ガス発生器Ｅを提供する。水タンク１は、電解水を収容するよう構成される。電気分解モジュール２は水タンク１に配設することができ、水タンク１内の電解水を電気分解して、水素含有ガスを発生させる。図３及び図４に示すように、一体型通路デバイス３は、上部カバー３０及び下部カバー３１を含む。上部カバー３０及び下部カバー３１は組み合わされて、凝縮通路３２、加湿通路３３、及びアウトプット通路３４をそれぞれ形成する。下部カバー３１は一体で形成される。下部カバー３１は、凝縮通路３２と連結された、凝縮通路入口３２０及び凝縮通路出口３２１と、加湿通路３３に連結された、加湿通路入口３３０及び加湿通路出口３３１と、アウトプット通路３４に連結された、アウトプット通路入口３４０及びアウトプット通路出口３４１と、を有する。アウトプット通路出口３４１は、外部環境に連結され、凝縮通路入口３４０は、水タンク１に連結され、水タンク１内の電気分解モジュール２によって発生した水素含有ガスを受け入れる。加湿モジュール４は下部カバー３１に連結され、凝縮通路出口３２１及び加湿通路入口３３０とそれぞれ連通する。加湿モジュール４は、水素含有ガスを加湿して、それを加湿通路３３に移すよう構成される。水素水モジュール５は、液体を収容するよう構成される。水素水モジュール５は、下部カバー３１に連結されたインプット構造５０を含み、かつ加湿通路出口３３１に接続されて、水素含有ガスを液体の中にインプットして、水素液を発生させる。水素水モジュール５は、アウトプット通路入口３４０に接続されたアウトプット構造５１をさらに含み、水素含有ガスをアウトプットする。この実施形態において、図２に示されるように、本発明の水素水モジュールを伴う一体型水素ガス発生器Ｅは、アウトプット通路出口３４１に連結された噴霧器８をさらに含み、霧状ガスを提供することができる。
【００２７】
図３ａ、図３ｂ、図３ｃ、及び図３ｄを参照されたい。図３ｃは、図３ａの水素水モジュールを伴う一体型ガス発生器の一部を示す分解組立であり、図３ｄは、図３ｃの板に固定された電気分解モジュールを示す底面図である。１つの実施形態において、図３ｃに示されるように、水タンク１はカバー本体１０及びタンク本体１１を含むことができ、タンク本体１１は電解水を収容するよう構成され、カバー本体１０は水タンク本体１１を覆うことができる。電気分解モジュール２は、水タンク１内に配設することができる。電気分解モジュール２は、電極板アセンブリ２０及び電気分解モジュール固定板２１を含む。電極板アセンブリ２０は、電気分解モジュール固定板２１の電気分解モジュール本体２１０に配設することができる。電極板アセンブリ２０は、複数の電極板２００、及びそれぞれ電極板２００に接続された複数のパッド２０１を含む。パッド２０１の各々は、各電極板２００の上面に配設され、それによって電極板２００は互いに離隔される。電極板アセンブリ２０は、電気分解モジュール本体２１０に配設して、複数の電極チャネルを形成することができる。図３ｃ及び図３ｄに示されるように、別の実施形態において、電気分解モジュール固定板２１は、電気分解モジュール本体２１０及び仕切り板２１１を含む。仕切り板２１１を使用して、電気分解モジュール２を水タンク１内に固定することができ、水タンク１は、上部及び下部に分割することができる。電気分解された水は、主に下部に位置され、電気分解によって発生した水素含有ガスは、主に上部に位置される。上部及び下部の循環を維持するために、仕切り板２１１は複数の循環穴２１１０を有し、上部を下部に連通させる。図３ｄに示されるように、電気分解モジュール本体２１０は、その底部に複数の水フロー穴２１００を有し、それによって電解水は、水フロー穴２１００から各電極フローチャネルに流入でき、各電極板２００は、水を電気分解して水素含有ガスを発生させることができる。加えて、パッド２０１は複数のガスフロー穴２０１０を有することができ、それによって電気分解によって発生した水素含有ガスは、ガスフロー穴２０１０を介して水タンク１の中に流入できる。電気分解モジュール固定板２１を、一体で形成することができる。加えて、当業者は、要件に従って仕切り板２１１の形状を設計して、他の構成要素を配設するための空間を提供することができることが、理解され得る。
【００２８】
実際の適用において、凝縮通路３２を２つ方法で形成することができる。図４及び図５を参照されたい。図５は、本発明の別の実施形態による水素水モジュールを伴う一体型水素ガス発生器Ｅの、一体型通路デバイス３を示す、分解組立図である。凝縮通路３２を形成する方法のうちの１つは、上部カバー３０が第１の上部カバー３００及び第２の上部カバー３０１を含み得ることである。第１の上部カバー３００及び下部カバー３１は、加湿通路３３及びアウトプット通路３４を形成できる。下部カバー３１は、特定の配置のスペーサ板３１０を有する。第２の上部カバー３０１は下部カバー３１と組み合わされて、凝縮通路３２を形成する。本発明の水素水モジュールを伴う一体型水素ガス発生器Ｅは、複数の濾過材料３７をさらに有する。濾過の綿材料３７は凝縮通路３２に配設して、水素含有ガス内の不純物を初めに濾過するよう構成できる。前述のスペーサ板３１０を使用して、複数の濾過材料３７を分離し、濾過材料３７が互いに重複するのを防止するか、または互いに接触して互いの水分を吸収し、凝縮効果及び水分吸収が軽減されるのを防止することができる。
【００２９】
図５に示されるように、本発明の凝縮通路３２を形成する別の方法は、下部カバー３１が第２の上部カバー３０１と組み合わされて、まず凝縮空間３１１を形成することである。水素水カップモジュールを伴う一体型水素ガス発生器Ｅは、第２の上部カバー３０１の上に連結され、凝縮空間３１１に収容かつ配設された凝縮本体３５をさらに含む。凝縮本体３５は第２の上部カバー３０１と組み合わされ、凝縮通路３２を伴う凝縮器を形成する。凝縮通路３２は、下部カバー３１の凝縮通路入口３２０及び凝縮通路出口３２１に連結され、凝縮通路入口３２０から凝縮通路３２の中に流入する水素含有ガスを凝縮する。本発明の水素水モジュールを伴う一体型水素ガス発生器Ｅは、凝縮板３６及び濾過材料３７をさらに含む。凝縮板３６は、凝縮本体３５と下部カバー３１との間に配設され、凝縮器の凝縮効果を促進するよう構成される。濾過材料３７は凝縮通路３２に配設して、水素含有ガス内の不純物を初めに濾過することができる。凝縮効果を促進するために、下部側カバー３１は複数の換気構造３１２を有する。これら複数の換気構造３１２は、下部側カバーの側部の通気孔とすることができ、凝縮空間３１１に詰め物構造３１３を有する。凝縮本体３５を伴う第２の上部カバー３０１は、下部カバー３１と組み合わされ、凝縮板３６と下部カバー３１との間の空隙が、詰め物構造３１３によって生成される。本発明の水素水モジュールを伴う一体型水素ガス発生器Ｅが動作するとき、ファンを、水素水モジュールを伴う一体型水素ガス発生器Ｅに構成することができ、一体型水素ガス発生器Ｅ内に凝縮フローを発生させる。凝縮フローは、換気構造３１２及び下部カバー３１の隆起した詰め物構造３１３を通過して、凝縮器の凝縮効果を促進する。
【００３０】
図６を併せて参照されたい。図６は、本発明の別の実施形態による水素水モジュールを伴う一体型水素ガス発生器Ｅを示す、機能ブロック図である。実際の適用において、水素水モジュールを伴う一体型水素ガス発生器Ｅは、下部カバー３１に連結された濾過器６をさらに含み、水素含有ガスの不純物を濾過する。下部カバー３１は、濾過器６に連結された濾過入口３４４及び濾過出口３４５をさらに有する。アウトプット通路３４は、第１の通路セクション３４２と第２の通路セクション３４３とに分割される。第１の通路セクション３４２は、アウトプット通路入口３４０及び濾過入口３４４と連通し、水素含有ガスを濾過器６の中にインプットする。第２の通路セクション３４３は、濾過出口３４５及びアウトプット通路出口３４１と連通し、水素含有ガスを濾過器６からアウトプットする。
【００３１】
加湿モジュール４についてのさらなる説明の前に、本発明の水素水モジュールを伴う一体型水素ガス発生器Ｅは、バブルスティック７及び噴霧器８をさらに含むことができることに留意されたい。凝縮通路３２は、凝縮通路出口３２１及びバブルスティック７を介して加湿モジュール４に連結させることができ、凝縮した水素含有ガスを、凝縮通路３２から加湿モジュール４の中に流入させる。噴霧器８は下部カバー３１に連結される。噴霧器８は、その中で霧状にすることになる液体を霧状にするよう構成され、霧状ガスを形成し、霧状ガスを水素含有ガスと混合してヘルシーガスを形成する。
【００３２】
図４、図７、及び図８を共に参照されたい。図７は、図３の加湿モジュール４の構造を示す図であり、図８は、図３の加湿モジュール４の構成を示す図である。加湿モジュール４は、一体型通路デバイス３と水タンク１との間に接続するよう構成される。加湿モジュール４は、一体型通路デバイス３を濾過器６に接続するための、インプット柱４０及びアウトプット柱４１と、一体型通路デバイス３及び水タンク１を接続するための、連通チャンバ４２と、噴霧器８を収容するための噴霧器収容チャンバ４３と、バブルスティック７及び電気分解する水を収容するための、加湿チャンバ４４と、循環装置を収容する循環空間４５と、を有する。１つの実施形態において、インプット柱４０、アウトプット柱４１、及び連通チャンバ４２は、加湿チャンバ４４とは接続されない。噴霧器収容チャンバ４３は、内側に押し下げる加湿モジュール４の表面によって、さらに形成される。濾過器６は、加湿モジュール４のインプット柱４０及びアウトプット柱４１を介して、下部カバー３１に連結される。加えて、下部カバー３１は、加湿モジュール４の加湿チャンバ４４及び外部環境に接続するための、水注入通路３４６をさらに備える。水は、加湿のために、水注入通路３４６を介して加湿モジュール４にインプットすることができる。さらに、加湿モジュール４における前述のユニットを、一体で形成することができる。
【００３３】
一体型通路デバイス３の動作をさらに説明するために、図９及び図１０を参照されたい。図９は、本発明の実施形態による水素水モジュールを伴う一体型水素ガス発生器Ｅの一体型通路デバイス３を示す、上面図である。図１０は、図９に示めされたＡ−Ａ’断面ラインに沿った動作図の部分的断面図である。一体型通路デバイス３の上部カバー３０と下部カバー３１との間の動作モードを、より明確に説明するために、第２の上部カバーセクション３０１を図から省略し、内部構造を明確に示す。例として加湿通路３３を捉えると、図９において丸で囲んだ加湿通路３３が、Ａ−Ａ’断面ラインに沿った断面で示される。図１０に示されるように、一体型通路デバイス３の上部カバー３０は、第１のキャップ３０２をさらに有する。第１のキャップ３０２は、加湿通路出口３３１の上の上部カバー３０の位置に配設され、加湿通路出口３３１を可動で覆う。上部カバー３０は、水素含有ガスが加湿通路出口３３１から流出するか、または水及び水蒸気が加湿通路出口３３１から流出するのを遮断するか、を選択的に可能にするよう構成される。詳細には、水素含有ガスがまだ一体型通路デバイス３に入っていないとき、上部カバー３０は下部カバー３１の上に当接して、水及び水蒸気が、加湿通路３３から加湿通路出口３３１を流出するのを遮断する。第１のキャップ３０２は、第１のキャップ３０２と加湿通路出口３３１との間の空隙における、毛細管現象を伴う水によって発生する水封止効果によって、または、重力によって上部カバー３０を加湿通路出口３３１に押圧することによって、水及び水蒸気を遮断する。水素含有ガスが一体型通路デバイス３に入ると、上部カバー３０は、水素含有ガスによって押し上げられる。このとき、第１のキャップ３０２と加湿通路入口３３０との間の空隙は、上部カバー３０を上方に押し上げることによって形成され、それによって加湿通路３３の水素含有ガスは、加湿通路出口３３１から流出できる。第１のキャップ３０２に加えて、上部カバー３０は第２のキャップ３０３をさらに有する。第２のキャプ３０３は、濾過入口３４４の上の上部カバー３０の位置に固定され、濾過入口３４４を可動で覆い、水素含有ガスが、濾過入口３４４に流入するか、水及び水蒸気が濾過入口３４４に流入するのを遮断するかを、第１のキャップ３０２の動作として選択的に可能にする。水素水モジュールを伴う一体型水素ガス発生器Ｅ内の水は、第１のキャップ３０２及び第２のキャップ３０３によって揺られるか、または傾けられたときに、加湿通路出口３３１及び濾過入口３４４から流出して、水素水モジュール５及び濾過器６に流入するのを防止する。それによって、水素水モジュール５内の汚染、または水の浸入による一体型水素ガス発生器Ｅ内の他の機械構成要素の損傷、の可能性を軽減させる。
【００３４】
図１０を参照されたい。加湿通路３３は傾けて設計され、加湿通路出口３３１近くの加湿通路３３の部分は高く、加湿通路出口３３１から離れた加湿通路３３の部分は低い。傾けた設計は、加湿通路３３内の水及び水蒸気が、加湿通路入口３３０に戻り、さらに加湿モジュール４の中に入り、水及び水蒸気が加湿通路出口３３１に流入するのを防止するよう構成され、加湿通路３３の水素含有ガスのみを、加湿通路出口３３１に流入させる。加えて、アウトプット通路３４は、同じ傾けた設計である。濾過入口３４４に近いアウトプット通路３４の部分は、濾過入口３４４から離れたアウトプット通路３４の部分よりも高く、それによって水及び水分が濾過入口３４４に流入するのを防止する。
【００３５】
本発明の実施形態による、水経路及びガス経路に関する、水素水モジュールを伴う一体型水素ガス発生器Ｅの動作は、以下で説明する。図１１を参照されたい。図１１は、本発明の別の実施形態による水素水モジュールを伴う一体型水素ガス発生器Ｅを示す、機能ブロック図である。水経路において、水は外部環境からインプット通路３４６を介して加湿モジュール４にインプットされ、次に真空ポンプを利用して、ガスを水タンク１及び連通チャンバ４２から引き出し、負圧を形成する。凝縮通路３２及び加湿モジュール４は、連通チャンバ４２に接続され、それによって圧力差が、加湿モジュール４の水を、凝縮通路３２を介して水タンク１内の連通チャンバ４２の中に流入させる。実際には、加湿モジュール４は、その中に配設されたバブルスティック７を有し、加湿モジュール４を凝縮通路３２と接続する。したがって、真空ポンプがガスを引き出したとき、加湿モジュール４の水は、凝縮通路出口３２１からバブルスティック７を介して一体型通路デバイス３に流入し、次に凝縮チャンバ４２及び凝縮通路入口３２０を介して水タンク１に流入する。別の実施形態において、一体型水素ガス発生器Ｅは、加湿モジュール４の加湿チャンバ４４内に配設された水ポンプをさらに含み、それによって水ポンプは、加湿チャンバ４４内に収容された水を直接押圧して、バブルスティック７と、凝縮通路出口３２と、一体型通路デバイス３と、凝縮通路入口３２０と、連通チャンバ４２とを介して、水を水タンク１に入れる。この水は、電気分解モジュール２によって電気分解され、水素含有ガスを発生することになる。換言すると、加湿モジュール４内の水は、水素含有ガスを加湿するだけではなく、電気分解される水としても使用され得る。
【００３６】
図１２〜図１５を参照されたい。図１２は、本発明の実施形態による水素水モジュールを伴う一体型水素ガス発生器Ｅのガス経路を示す、機能ブロック図である。図１３は、本発明の実施形態による水素水モジュールを伴う一体型水素ガス発生器Ｅの、水タンク、第１の上部カバー、下部カバー、噴霧器、及び水素水モジュールを示す、上面図である。図１４は、図１３のＢ−Ｂ’断面ラインに沿った、一体型水素ガス発生器Ｅの断面図である。図１５は、図１３のＣ−Ｃ’断面ラインに沿った、一体型水素ガス発生器Ｅの断面図である。ガス経路は、凝縮、加湿、ならびに濾過及び噴霧段階を備える。図１２〜図１５に示されるように、矢印は、水素含有ガスのフロー方向を示す。電気分解モジュール２は、水タンク１内に配設され、電解水を電気分解し、水素含有ガスを水タンク１内で形成する。水素含有ガスは、連通チャンバ４２を流れ抜けて、一体型通路デバイス３の凝縮通路入口３２０から凝縮通路３２に流入して、凝縮される（図１４に示す）。凝縮された水素含有ガスは、バブルスティック７を介して凝縮通路出口３２１から加湿モジュール４内の加湿チャンバ４４に流入して、加湿される。加湿された水素含有ガスは、加湿通路入口３３０を流れ抜けて、一体型通路デバイス３の加湿通路３３の中に流入し、次に加湿通路出口３３１から水素水モジュール５の中に流入して、水素水モジュール５内の液体と混合され、水素含有液体を形成する。次に、図１２に示されるように、水素水モジュール５内の余分な水素含有ガスは、アウトプット通路入口３４０からアウトプット通路３４の第１の通路セクション３４２に入り、次に濾過入口３４４からインプット柱４０を介して濾過器６に入り、濾過される。濾過された水素含有ガスは、濾過出口３４５から流れ、インプット柱４１を介して、アウトプット通路３４の第２の通路の中に流入し、次にアウトプット通路出口３４１を流れ抜けて噴霧器８の中に流入して、霧状ガスと混合された後に外部環境にアウトプットされる。
【００３７】
連通チャンバ４２の詳細な説明のため、図１１、図１２、及び図１４を参照されたい。水素水モジュールを伴う一体型水素ガス発生器Ｅは、水遮断デバイス９０及びガスバッフル板アセンブリ９１をさらに含み、それら両方は、連通チャンバ４２に配設することができる。図１４に示されるように、水遮断デバイス９０は水タンク１の上に配設され、水タンク１の電気分解された水が、水タンク１がある傾斜角度に傾いたときに流出するのを遮断する。実際には、水遮断デバイス９０は、底部９００（点線で示される）、及び防水構成要素９０１を含む。底部９００は、空気入口９０００及び弾性プラグ９００１を有する。空気入口９０００は、水素含有ガスを受け入れるよう構成される。防水構成要素９０１はプラグ穴９０１０を有し、弾性プラグ９００１は、回復可能な方法でプラグ穴９０１０に提供され、空気入口９０００は、防水構成要素９０１にもたれかかることによって開放されたままにされる。水タンク１または水素水モジュールを伴う一体型水素ガス発生器Ｅが、ある傾斜角度に傾いたとき、弾性プラグ９００１は圧縮され、次にプラグ穴９０１０の中に摺動して、防水部材９０１を底部９００と連結し、それによって空気入口９０００を閉鎖して、水タンク１からの電気分解された水のフローを遮断する。
【００３８】
空気バッフル板アセンブリ９１は、水遮断デバイス９０の上に配設される。空気バッフル板アセンブリ９１は、水蒸気及び水素含有ガスの電解液が、凝縮通路３２に流入するのを軽減、または防止するよう構成される。空気バッフル板アセンブリ９１は、互いにジグザグに配置された複数のボードを含む。さらに、水素含有ガス内の水蒸気及び電解液は、水素含有ガスが連通チャンバ４２を流れ抜けるときに、空気バッフル板アセンブリ９１の妨害により、空気バッフル板アセンブリ９１において凝縮されることになる。空気バッフル板アセンブリ９１において凝縮された、水蒸気及び電解液は、ポンプによって駆動された一体型通路デバイス３からの水によって、水タンク１に流し戻され、それによって電気分解された水の電解液の濃度を維持し、さらに電気分解を効率的に維持することができる。
【００３９】
図１２及び図１５を参照されたい。濾過器６は、濾過コア６０、濾過入口柱６１、及び濾過出口柱６２を含む。濾過コア６０は、水素含有ガスの不純物を濾過するよう構成され、濾過入口柱６１及び濾過出口柱６２は、濾過コア６０の２つの側部にそれぞれ接続される。濾過入口柱６１は、加湿モジュール４のインプット柱４０を介して、濾過入口３４４に接続させることができる。濾過出口柱６２は、加湿モジュール４のアウトプット柱４１を介して、濾過入口３４５に接続させることができる。水素含有ガスは、濾過入口３４４を介して濾過入口柱６１の中に流入し、次に濾過入口柱６１を介して濾過コア６０に入り、濾過される。濾過された水素含有ガスは、濾過コア６０から濾過出口柱６２の中に流入し、次に濾過出口柱６２は、濾過出口３４５を介して水素含有ガスをアウトプットする。図１５に示されるように、本発明の濾過器６の構成は、濾過入口柱６１及び濾過出口柱６２が濾過器６の同じ側に位置されるものである。一体型水素ガス発生器Ｅの濾過コア６０を、この構成においては底部から容易に取り替えることができ、濾過コアの取り換えの複雑なプロセスを簡略化する。
【００４０】
噴霧器８は、霧状化入口８０及び霧状化出口８１を有する。噴霧入口８０は、アウトプット通路出口３４１及びアウトプット通路３４に接続され、水素含有ガスを受け入れる。噴霧出口８１は、外部環境に接続される。噴霧器８は、混合チャンバ８２及び振動器８３をさらに含む。混合チャンバ８２は、その中で前駆体を霧状にするよう、及び霧状ガスを水素含有ガスと混合するよう構成され、ヘルスケアガスを形成する。振動器８３は混合チャンバ８２の下に配設され、前駆体を振動かつ霧状化して、必要な霧状ガスにする。霧状ガスは、水蒸気、霧状化部、及び揮発性の芳香油のうちの少なくとも１つを含む。
【００４１】
以下は、バブルスティック７の詳細な説明である。図１１、図１２、及び図１６を参照されたい。図１６は、本発明の実施形態による水素水モジュールを伴う一体型水素ガス発生器の、バブルスティック７の断面図である。バブルスティック７は、加湿モジュール４及び一体型通路デバイス３の凝縮通路３２に連結され、凝縮通路３２から流れる水素含有ガスを純化することができ、それによって水素含有ガスを加湿通路４の中に均等に分配することができる。図１６に示されるように、バブルスティック７は、シリンダ７０及びロッド７１を含む。シリンダ７０は中空構造であり、ロッド７１は少なくとも１つの支柱７１０、及び支柱７１０を覆う多孔性コーティング層７１１を有する。実際には、バブルスティック７のロッド７１は、加湿モジュール４の水の中に浸される。水素含有ガスは、ロッド７１からバブルスティック７に入り、加湿モジュール４に流れて、加湿モジュール４内の水によって加湿され得る。加えて、加湿モジュール４内の水は、多孔性コーティング層７１１を介してロッド７１に入り、ロッド７１からロッドシリンダ７０の中に流入でき、それによって加湿モジュール４内の水は、加湿モジュール４から流出できる。
【００４２】
以下で水素水モジュール５の詳細を説明する。図１２、図１３、図１４、図１７、及び図１８を参照されたい。図１７は、本発明の実施形態による一体型水素ガス発生器Ｅの水素水モジュール５を示す斜視図である。図１８は、図１７の水素水モジュールを示す断面図である。図１７及び図１８に示されるように、水素水モジュール５は、水インプット／アウトプット構造５２、把持部５３、伸縮バックル５４、及びガスインプットロッド５５をさらに含む。水インプット／アウトプット構造５２は、水を水素水モジュール５にインプットするか、または水素液をアウトプットするかのために、水インプット／アウトプット通路を選択的に提供するよう構成される。把持部５３は、加湿モジュール４から離れた、水素水モジュール５の一方の側に配設され、連動ボタン５３０は、把持部５３に構成される。伸縮バックル５４は連動ボタン５３０と連動され、水素水モジュール５を一体型通路デバイス３に選択的に連結する。
【００４３】
さらに実際には、水素水モジュールを伴う一体型水素ガス発生器Ｅは、加湿通路３３とアウトプット通路３４との間に配設された、切換弁９２を備える。連動ボタン５３０が伸縮バックル５４を駆動するとき、伸縮バックル５４は、水素水モジュール５の、加湿通路３３及びアウトプット通路３４との接続を遮断して、加湿通路３３は、切換弁９２によってアウトプット通路３４に接続される。水素水モジュール５は、伸縮バックル５４または水インプット／アウトプット構造５２によって、加湿通路３３及びアウトプット通路３４から分離することができる。水素水モジュール５が一体型通路デバイス３に連結されたとき、伸縮バックル５４または水インプット／アウトプット構造５２は切替弁９２にもたれかかり、それによって切換え弁９２は、加湿通路３３とアウトプット通路３４との間の経路を遮断することになる。加湿通路３３内の水素含有ガスは、水素水モジュール５のインプット構造５５を介して、水素水モジュール５の中に流入し、次に水素水モジュール５のアウトプット構造５１から、アウトプット通路３４の中に流入する必要がある。水素水モジュール５が外されたとき、水素水モジュール５の伸縮バックル５４及び水インプット／アウトプット構造５２は、切替弁９２にもたれかからず、そのため切換弁９２は、水素水モジュール５を介さずに、加湿通路３３をアウトプット通路３４に直接接続する。
【００４４】
ガスインプットロッド５５は、中空柱５５０及び多孔性ロッド５５１を含む。中空柱５５０は、水素水モジュール５のインプット構造５０に接続される。水素含有ガスは、加湿通路出口３３１からガスインプットロッド５５の中にインプットされ、次に水素含有ガスは、中空柱５５０を介して、水素水モジュール５の底部に配設された多孔性ロッド５５１の中に流入する。水素含有ガスは、多孔性ロッド５５１から水素水モジュール５の中に流入し、水素水モジュール５内の液体に効果的に混合され、水素液を形成する。さらに、多孔性ロッド５５１は、バブルスティック７のロッド７１と同じ構造を有することができる。液体と混合した後の残りの水素含有ガスは、アウトプット構造５１及びアウトプット通路入口３４０から、アウトプット通路３４にアウトプットされることになる。別の実施形態において、水素水モジュール５は非水性液体を収容する場合があり、その結果水素含有ガスは、水素水モジュール５を流れ抜けた後に、特有の香りを有し得る。この特有の香りの問題を解決するため、水素水モジュール５からアウトプットされた水素含有ガスは、濾過器６によって不純物及び香りが濾過され、次に外部環境にアウトプットされ得る。
【００４５】
水素含有ガスに対する、凝縮、加湿、混合、濾過、霧状化プロセスのシーケンスは、前述の実施形態に限定されず、水素水モジュールを伴う一体型水素ガス発生器Ｅの機能に影響を与えることなく調整することができる。図１９を参照されたい。図１９は、本発明の別の実施形態による水素水モジュールを伴う一体型水素ガス発生器Ｅを示す、機能ブロック図である。図１９の実施形態における技術的特徴は、香りを除き、上述のものと同じである。したがって、技術的特徴は、前述の技術的特徴と類比することによって推定することができるので、ここでは繰り返さない。図１９に示されるように、加湿通路出口３３１は濾過入口３４４に接続され、加湿された水素含有ガスを濾過器６の中にインプットして濾過する。次に濾過された水素含有ガスは、アウトプット通路３４の第１の通路セクション３４２を介して、水素水モジュール５の中に流入する。このように、水素水モジュール５の中に流入する水素含有ガスは、不純物を含まず、したがって水素液が不純物を含まないことを保証する。
【００４６】
従来技術と比較すると、本発明の水素水モジュールを伴う一体型水素ガス発生器Ｅは、凝縮、加湿、及び電気分解機能を伴うデバイスを垂直方向に積み重ね、一体化で形成された加湿モジュール４、ならびに一体化で形成された一体型通路デバイス３を使用して、上記のデバイスを接続する。本発明の水素水モジュールを伴う一体型水素ガス発生器Ｅは、加湿モジュール４を一体型通路デバイス３と係合することによって、デバイスを接続するための追加のパイプなしで動作できる。それによって、発生器の面倒な組立プロセス、複雑な配線、発生器のかさばる体積の問題、ならびにパイプによって生じる落下、ガス漏洩、及び漏水の問題を回避する。
【００４７】
水素含有ガスに加えて、一体型水素ガス発生器Ｅは、水素水モジュール５をさらに有し、水素含有液体を発生させ、それによって１つの機械で２つの異なる機能を実現する。さらに、水素水モジュール５内の液体は、水に加えて任意の液体であってよく、水素含有液体を形成し、使用者が水素液を飲む動機を増進させる。
【００４８】
上述の例及び説明、本発明の特徴及び趣旨を、できるだけ判りやすく説明した。より重要なことに、本発明は本明細書で説明した実施形態に限定されない。当業者は、デバイスの多くの変更及び代替が、本発明の教示を保持しつつ成され得ることを、容易に認識するであろう。したがって、上記の開示は、添付の特許請求の範囲によってのみ限定されるよう解釈されたい。
【図１】
2020183579.tif 000002
【図２】
2020183579.tif 000003
【図３ａ】
2020183579.tif 000004
【図３ｂ】
2020183579.tif 000005
【図３ｃ】
2020183579.tif 000006
【図３ｄ】
2020183579.tif 000007
【図４】
2020183579.tif 000008
【図５】
2020183579.tif 000009
【図６】
2020183579.tif 000010
【図７】
2020183579.tif 000011
【図８】
2020183579.tif 000012
【図９】
2020183579.tif 000013
【図１０】
2020183579.tif 000014
【図１１】
2020183579.tif 000015
【図１２】
2020183579.tif 000016
【図１３】
2020183579.tif 000017
【図１４】
2020183579.tif 000018
【図１５】
2020183579.tif 000019
【図１６】
2020183579.tif 000020
【図１７】
2020183579.tif 000021
【図１８】
2020183579.tif 000022
【図１９】
2020183579.tif 000023
【外国語明細書】
2020183579000001.pdf